(57)【要約】【課題】直流系機器の交換、設置場所の変更等を容易に行うことが可能な直流配電用コンセント、この直流配電用コンセントに接続可能な照明器具および直流配電システムを提供する。【解決手段】電気絶縁材で形成された本体１１と；本体内に収容され直流系機器が接続される刃受け金具１２と；本体内に収容され、直流系機器のプラグが前記刃受け金具に接続されるときに、直流系機器に設けられた電気絶縁体２２ｂにより刃受け金具間の接続が開閉されるように配設された導電体１３と；本体に設けられ刃受け金具を直流電源部３１に接続するための電線接続部１４と；を具備する直流配電用コンセント１０を構成する。【選択図】        図１
2011070945.tif 000002
【特許請求の範囲】
【請求項１】
電気絶縁材で形成された本体と；
本体内に収容され直流系機器が接続される刃受け金具と；
本体内に収容され、直流系機器のプラグが前記刃受け金具に接続されるときに、直流系機器に設けられた電気絶縁体により刃受け金具間の接続が開閉されるように配設された導電体と；
本体に設けられ刃受け金具を直流電源部に接続するための電線接続部と；
を具備していることを特徴とする直流配電用コンセント。
【請求項２】
請求項１記載の直流配電用コンセントの刃受け金具に接続される栓刃および導電体に対し、刃受け金具間の接続を開閉させる電気絶縁体を有するプラグと；
プラグを介して直流の電流電路に接続される半導体発光素子からなる光源と；
を具備していることを特徴とする照明器具。
【請求項３】
直流電源部と；
直流電源部の出力側に構成される電流電路と；
電流電路に直列に接続される請求項１記載の複数の直流配電用コンセントと；
を具備していることを特徴とする直流配電システム。
【発明の詳細な説明】
【技術分野】
【０００１】
本発明は、直流系機器を接続するための直流配電用コンセント、直流配電用コンセントに接続される発光ダイオード等を光源とする照明器具および直流配電用コンセントを用いる直流配電システムに関する。
【背景技術】
【０００２】
従来、例えば、一般家庭や店舗用における配電システムは、商用交流電力系に接続された分電盤を介して、各部屋など必要な場所に複数のコンセントを２線の電路に対して並列に接続した定電圧配電システムによって構成されている。このため、例えば、直流で駆動される発光ダイオード等を光源とする照明器具の設置は、個々に整流回路からなる電源部を内蔵した照明器具を構成し、並列に接続されたコンセントに接続して商用交流電源から直流に変換して点灯用の電源を得るようにしている。
【０００３】
また、特許文献１には、リミッタ、主幹ブレーカ、分岐ブレーカなどの商用交流電力系の機器を本体内に配設した分電盤と、電力変換部を本体内に配設した直流分電盤を基本構成とし、この直流分電盤における電力変換部からの直流電力を２線の給電線に対して、複数のＬＥＤ照明端末を、それぞれ並列に接続して供給する一般的な定電圧方式による配電システムが示されている。
【先行技術文献】
【特許文献】
【０００４】
【特許文献１】特開２００８−４３００１号公報
【発明の概要】
【発明が解決しようとする課題】
【０００５】
一方、この種の、発光ダイオードを光源とする機器は、発光ダイオードの使用個数等によって、その定格電圧が機器個々によって異なり、上述した、現在、一般的に使用されている定電圧配電システムでは、これら定格電圧の異なる複数の機器は接続することができない。このため、従来では、図６に示すように、天井裏等に配線された定電圧配電システムの２線の線路に接続して導出した電源線に対して専用のＬＥＤ電源ユニット１を接続し、この電源ユニットによって電流電路２を構成し、この電流電路に発光ダイオードを光源とする複数の照明器具３を直列に接続して設置している。
【０００６】
しかしながら、上記の電源ユニットを設置する工事は複雑で一般ユーザーが行うことができず、器具の交換、設置場所の変更等は簡単に行うことができない。また、特に、電流電路の場合、各機器は直列に接続されて閉回路を構成しているため、例えば、１台の照明器具を電路から取り外した場合には閉回路が開放され、他の照明器具に電源が供給されず点灯させることができなくなる（図６中Ｂ部分）。このため一般ユーザーが器具を交換したり、設置場所を容易に変更することができない問題が生じる。このため、発光ダイオードを光源とした照明器具等の直流系機器においては、一般ユーザーが自由に器具の交換や設置場所の変更等を容易に行うことができる直流配電システムを如何にして構築するかが重要な課題となっている。
【０００７】
本発明は、上記の課題に鑑みなされたもので、直流系機器の交換、設置場所の変更等を容易に行うことが可能な直流配電用コンセント、この直流配電用コンセントに接続可能な照明器具および直流配電システムを提供しようとするものである。
【課題を解決するための手段】
【０００８】
請求項１に記載の直流配電用コンセントの発明は、電気絶縁材で形成された本体と；本体内に収容され直流系機器が接続される刃受け金具と；本体内に収容され、直流系機器のプラグが前記刃受け金具に接続されるときに、直流系機器に設けられた電気絶縁体により刃受け金具間の接続が開閉されるように配設された導電体と；本体に設けられ刃受け金具を直流電源部に接続するための電線接続部と；を具備していることを特徴とする。本発明によれば、直流系機器の交換、設置場所の変更等を容易に行うことが可能な直流配電用コンセントを構成することができる。
【０００９】
本発明において、直流配電用コンセントは、屋内に設置されるコンセントでも、屋外に設置されるコンセントでもよく、また、露出形でも埋込形でもよく、特定のコンセントには限定されない。
【００１０】
また、直流系機器は、発光ダイオード等の半導体発光素子を光源とする照明器具で構成し適用することが好適であるが、他の直流系機器、例えば、ＬＡＮ等に対応するハブ等の通信機器を構成する情報系ユニット、防災センサを接続してセンサからの検出情報を受信して信号処理を行う防災ユニット、さらには、一般家庭で用いられるバッテリー充電機器等に適用されてもよい。
【００１１】
また、本体内に収容され直流系機器が接続される刃受け金具は、一般的に用いられているプラグの栓刃を両面で挟持して接続するものが好適であるが、プラグの栓刃の片側のみを接続するものであってもよい。
【００１２】
本体内に収容され、直流系機器のプラグが前記刃受け金具に接続されるときに、直流系機器に設けられた電気絶縁体により刃受け金具間の接続が開閉されるように配設された導電体は、例えば、プラグのコンセントに対する抜き差しによる直線方向の移動によって開閉されるものであっても、また、引掛シーリングにおける回動するキャップの抜き差しによる回転方向の移動によって開閉されるものであってもよい。要は、直流系機器のプラグが前記刃受け金具に接続されるときに、直流系機器に設けられた電気絶縁体により刃受け金具間の接続が開閉される全ての手段が許容される。
【００１３】
導電体は、対向する受け金具の弾性力で、両者を常時閉止状態になるように設置し、電気絶縁体を対向する受け金具の間に挿入し、常時閉止されている受け金具を離間させて接続を開放することが好ましいが、可動接点板と固定接点板で構成し、常時閉止されている可動接点板を電気絶縁体で移動させ、固定接点板から離間させることによって接続を開放するものでもよい。また、導電体は、マイクロスイッチ等の各種スイッチに内蔵された可動接点板と固定接点板で構成されるものであってもよい。
【００１４】
また、直流系機器に設けられた電気絶縁体は、例えば、機器に対してコードによって接続されたプラグに、栓刃と平行するように突出して設けられることが好適であるが、コードレス形の機器におけると同様に、プラグイン方式のプラグ部分に設けられるものであってもよい。また、電気絶縁体は、例えば、プラグの抜き差しの操作と同時に、または連動して一対の刃受け金具間の接続が開閉されるように構成することが好適であるが、ここでは、特にプラグ操作と同時、または連動させることが条件ではなく、別個の操作、手段によって開閉されるように構成してもよい。
【００１５】
また、電気絶縁体は、例えば、合成樹脂によって一体に形成されることが簡素に構成されてコスト的にも好ましいが、より強度を高めるために芯の部分を金属で構成し金属の表面に合成樹脂等の電気絶縁体を被覆するようにして構成したものであってもよい。
【００１６】
また、刃受け金具を直流電源部に接続するための電線接続部は、本体内に収容される、いわゆる、ねじ無し端子で構成されることが好適であるが、刃受け金具自体に電線をネジ止めや溶接等で接続するものであっても、本体外側面等に設けられるネジ付端子であってもよい。
【００１７】
請求項２に記載の照明器具の発明は、請求項１記載の直流配電用コンセントの刃受け金具に接続される栓刃および導電体に対し、刃受け金具間の接続を開閉させる電気絶縁体を有するプラグと；プラグを介して直流の電流電路に接続される半導体発光素子からなる光源と；を具備していることを特徴とする。本発明によれば、器具の交換、設置場所の変更等を容易に行うことが可能な半導体発光素子を光源とする照明器具を構成することができる。
【００１８】
本発明において、半導体発光素子は、発光ダイオード、半導体レーザ、有機ＥＬなどを発光源とした直流により駆動される発光素子が許容される。半導体発光素子は、複数個で構成されていることが好ましいが、照明の用途に応じて必要な個数は選択され、例えば、４個程度の素子群を構成し、この群１個、若しくは複数の群をなすように構成してもよい。さらには、１個の半導体発光素子で構成されたものであってもよい。半導体発光素子は、白色で発光するように構成することが好ましいが、照明器具の用途に応じ、赤色、青色、緑色等でも、さらには各種の色を組み合わせて構成してもよい。
【００１９】
複数個の半導体発光素子が使用される場合、全ての半導体発光素子が直列に接続されていることが好ましいが、所定の個数を直列に接続して素子群を構成し、この直列に接続された素子群をそれぞれ並列に接続して構成したものであってもよい。
【００２０】
請求項３に記載の直流配電システムの発明は、直流電源部と；直流電源部の出力側に構成される電流電路と；電流電路に直列に接続される請求項１記載の複数の直流配電用コンセントと；を具備していることを特徴とする。本発明によれば、直流系機器の交換、設置場所の変更等を容易に行うことが可能な直流配電システムを構成することができる。
【発明の効果】
【００２１】
請求項１記載の発明によれば、本体内に収容され、直流系機器のプラグが前記刃受け金具に接続されるときに、直流系機器に設けられた電気絶縁体により刃受け金具間の接続が開閉されるように配設された導電体により、直流系機器の交換、設置場所の変更等を容易に行うことが可能な直流配電用コンセントを提供することができる。
【００２２】
請求項２記載の発明によれば、請求項１記載の直流配電用コンセントに対し、刃受け金具間の接続を開閉させる電気絶縁体を有するプラグを具備することによって、器具の交換、設置場所の変更等を容易に行うことが可能な半導体発光素子を光源とする照明器具を提供することができる。
【００２３】
請求項３記載の発明によれば、電流電路に直列に接続される請求項１記載の複数の直流配電用コンセントを具備していることによって、直流系機器の交換、設置場所の変更等を容易に行うことが可能な直流配電システムを提供することができる。
【図面の簡単な説明】
【００２４】
【図１】本発明の第１実施形態である直流配電用コンセントおよび照明器具を天井面に設置した状態を示す縦断面図。
【図２】同じく直流配電用コンセントを示し、（ａ）は蓋体の正面図、（ｂ）はケース体の正面図。
【図３】同じく直流配電用コンセントを示し、（ａ）は端子板の斜視図、（ｂ）は図２（ｂ）ｂ−ｂ線に沿う断面図。
【図４】同じく直流配電システムを示し、（ａ）は、電路に複数の直流配電用コンセントを設置し、全ての直流配電用コンセントに照明器具を設置した状態を示すシステム回路図、（ｂ）は（ａ）図の状態から１台の照明器具を取り外した状態を示すシステム回路図。
【図５】同じく変形例を示し、（ａ）は直流配電用コンセントおよび照明器具を示す斜視図、（ｂ）は直流配電用コンセントのスイッチ部分を示す断面図。
【図６】本発明の従来例における複数の照明器具をＬＥＤ電源ユニットに接続するための配線図。
【発明を実施するための形態】
【００２５】
以下、本発明の直流配電用コンセント、照明器具および直流配電システムの実施形態について説明する。
【実施例１】
【００２６】
先ず、直流配電用コンセントの構成につき説明する。本実施例は、一般家庭に用いられる１００Ｖ１５Ａ用の１口用の直流配電用コンセント１０を構成するもので、本体１１、本体内に収容され直流系機器が接続される一対の刃受け金具１２、本体内に収容され、直流系機器に設けられた電気絶縁体により一対の刃受け金具１２間の接続が開閉されるように対向して配設された導電体１３、本体内に収容され一対の刃受け金具１２を直流電源部に接続するための一対の電線接続部１４で構成する。
【００２７】
本体１１は、図２に示すように、電気絶縁性を有する合成樹脂で一体に形成されたケース体１１ａと、ケース体の開口部を閉塞するための蓋体１１ｂで構成する。ケース体１１ａは、内部に、後述する一対の刃受け金具１２、対向して配設される導電体１３および一対の電線接続部１４を収容するための刃受け金具収容部１１ａ１、導電体収容部１１ａ２、電線接続収容部１１ａ３を一体に形成する。
【００２８】
蓋体１１ｂは、本体と同様に電気絶縁性を有する合成樹脂で一体に形成され、ケース体１１ａに収容される一対の刃受け金具１２に対向してプラグの栓刃を挿入するための一対の挿入孔１１ｂ１を形成し、さらに、対向して配設された導電体１３に対向して電気絶縁体を挿入するための１個の挿入孔１１ｂ２を形成する。これらケース体１１ａおよび蓋体１１ｂは、着脱が可能なネジ１１ｃによって、ケース体１１ａの開口部を蓋体１１ｂで閉塞するようにして固定される。図中１１ｄは、本体１１を天井面等に木ネジによって支持するための取付孔である。
【００２９】
プラグの栓刃が接続される刃受け金具１２は、図３（ａ）に示すように、導電性を有する金属、例えば、スズ（Ｓｎ）入りの銅板で構成され、プレス加工等により、「ハ」の字状をなすように対向して常時接触している刃受け部１２ａ、１２ｂを、対をなして形成する。この対をなす一方の刃受け部１２ａの底部の一端部側から一体に延長して導電体１３の一方の受け金具１３ａを一体に形成する。同様にして他方の刃受け部１２ｂの底部から一体に延長して他方の受け金具１３ｂを一体に形成する。
【００３０】
電源線Ｗが接続される電線接続部１４は、本実施例では、いわゆる、ねじ無し端子として構成されるもので、刃受け金具１２の一方の刃受け部１２ａの他端部側を一体に延長して、「コ」の字状をなす一方の電線支持部１４ａを形成する。同様にして他方の刃受け部１２ｂの他端部側を一体に延長して、「コ」の字状をなす他方の電線支持部１４ｂを形成する。なお、図３（ｂ）中１４ｃは、電源線Ｗを電線接続部の支持部１４ａ、１４ｂに対し押圧して係止するための板バネである。
【００３１】
上記のように、一体に形成された刃受け部１２ａ（１２ｂ）、片方の受け金具１３ａ（１３ｂ）および片方の電線支持部１４ａ（１４ｂ）からなる端子板は、図３（ａ）に示すように、それぞれ一対が用意され、ケース体１１ａのそれぞれの収容部内に挿入されて支持される。これにより、導電体１３の一方の受け金具１３ａと他方の受け金具１３ｂは、それぞれが対向して配置され、かつ常時接触するように構成される。この状態で、蓋体１１ｂをケース体１１ａの開口部に被せて閉塞することにより直流配電用コンセント１０が構成される。
【００３２】
なお、ケース体１１ａの裏面には、電源線Ｗを電線接続部１４のねじ無し端子に挿入するための一対の電線挿入孔１１ａ４およびねじ無し端子と電線の接続を解除し、電線を引き外すためのリリースボタン（図示せず）が設けられている。また、上述した一対の刃受け金具１２、一対の電線接続部１４、一対の挿入孔１１ｂ１、一対の電線挿入孔１１ａ４等は、一対に限らずアース付など３つで構成されてもよい。また、刃受け金具の刃受け部１２ａ、１２ｂの間隔寸法および蓋体１１ｂの一対の挿入孔１１ｂ１の間隔寸法は、既存の交流１００Ｖ用のコンセントにおける刃受け金具および挿入孔との間隔寸法と異なるように構成し、既存交流１００Ｖ用のプラグが差し込まれないように構成する。
【００３３】
上記構成の直流配電用コンセント１０によれば、導電体１３は常時は接触されているので、図４（ｂ）点線矢印に示すように、一方の電線支持部１４ａ→一方の刃受け部１２ａ→導電体１３の一方の受け金具１３ａ→他方の受け金具１３ｂ→他方の刃受け部１２ｂ→他方の電線支持部１４ｂに至る電路Ａが構成されている。また、図４（ａ）に示すように、常時接触するように構成された導電体１３に対して、電気絶縁体２２ｂを差し込むことによって、一方の受け金具１３ａと他方の受け金具１３ｂとの間に電気絶縁体２２ｂが介在し、上記電路Ａ、すなわち、一方の刃受け部１２ａと他方の刃受け部１２ｂとの間が開放され、一対の刃受け金具１２によって負荷側に直流が供給される状態となる。
【００３４】
上記に構成された直流配電用コンセント１０には、直流機器、本実施例では、直流により駆動される半導体発光素子を光源とした照明器具が接続される。
【００３５】
照明器具２０は、図１に示すように、天井吊り下げ形のホームライトを構成したもので、光源として複数個の発光ダイオード（以下「ＬＥＤ」と称す）２１を直列に接続して発光部２１ａを構成する。この発光部２１ａは、コード付のプラグ２２によって、上述した直流配電用コンセント１０に接続され直流電源が供給されて点灯する。
【００３６】
コード付のプラグ２２は、上述した直流配電用コンセント１０の一対の刃受け金具１２に対して、抜き差しされる一対の栓刃２２ａと、対向して配設された導電体１３における、常時接触している一方の受け金具１３ａと他方の受け金具１３ｂとの間に対して挿入または引き出されるように抜き差しされる１本の棒状をなす電気絶縁体２２ｂを有する。一対の栓刃２２ａには、一端がＬＥＤ２１の入力端子に接続されたコードＣの他端がそれぞれ接続される。また、このプラグ２２は、一対の栓刃２２ａの間隔寸法を刃受け金具１２の間隔寸法と異ならせ、かつ、電気絶縁体２２ｂを突出させて設けられているので、既存の交流１００Ｖ用のコンセントには差し込むことができない。これによって、直流を電源とする照明器具に対し、誤って交流が供給されることが防止され安全性を図っている。
【００３７】
上記に構成された照明器具２０は、プラグ２２を直流配電用コンセント１０に接続することによって使用される。すなわち、図１に示すように、プラグ２２の一対の栓刃２２ａを、直流配電用コンセント１０の一対のそれぞれの挿入孔１１ｂ１に差し込む。これによって栓刃２２ａが刃受け金具の刃受け部１２ａ、１２ｂにそれぞれ差し込まれる。同時に棒状をなす電気絶縁体２２ｂが常時接触している導電体１３の一方の受け金具１３ａと他方の受け金具１３ｂとの間に差し込まれて挿入される。これにより、図４（ａ）に示すように、一方の電線支持部１４ａ→一方の刃受け金具の刃受け部１２ａ→照明器具のＬＥＤ２１→他方の刃受け金具の刃受け部１２ｂ→他方の電線支持部１４ｂの閉回路が形成され、ＬＥＤ２１に直流電源が供給される状態になる。
【００３８】
また、プラグ２２を引き抜くと一対の栓刃２２ａが一対の刃受け金具１２から引き抜かれると同時に、導電体１３の弾性力により一方の受け金具１３ａと他方の受け金具１３ｂが接触するように復帰される。これにより、図４（ｂ）の点線矢印に示すように、一方の電線支持部１４ａ→一方の刃受け金具の刃受け部１２ａ→導電体の一方の受け金具１３ａ→他方の受け金具１３ｂ→他方の刃受け金具の刃受け部１２ｂ→他方の電線支持部１４ｂの電路Ａが形成される。
【００３９】
なお、図１に示すように、プラグ２２の栓刃２２ａは、電気絶縁体２２ｂより長く突出させて形成し、プラグ２２を直流配電用コンセント１０に差し込む際には、先に一対の栓刃２２ａが刃受け金具の刃受け部１２ａ、１２ｂに差し込まれ、その後に電気絶縁体２２ｂが導電体の一方の受け金具１３ａと他方の受け金具１３ｂとの間に差し込まれ、一方の受け金具１３ａと他方の受け金具１３ｂとの間の接続が開放される。
【００４０】
次に、上記に構成された直流配電用コンセント１０および照明器具２０を接続するための直流配電システムの構成を説明する。本実施例の直流配電システム３０は、図４に示すように、直流電源部３１、直流電源部の出力側に構成される電流電路３２、電流電路に直列に接続される上述の直流配電用コンセント１０からなる。
【００４１】
直流電源部３１は、本実施例では、商用交流電力系に接続される交流分電盤３１ａと直流分電盤３１ｂからなり、交流分電盤３１ａは、リミッタ３１ａ１、主幹ブレーカ３１ａ２、分岐ブレーカ３１ａ３を本体３１ａ４内に収容し、単相３線の商用交流電源の電力線がその入力側に接続され、出力側が直流分電盤３１ｂの入力側に接続される。
【００４２】
直流分電盤３１ｂは、交流分電盤３１ａから入力された交流を直流に変換する整流回路や整流回路で得た直流電圧を降圧するためのＤＣ／ＤＣコンバータ等からなる電力変換部３１ｂ１を有し、電力変換部の出力側に電流電路３２が構成される。
【００４３】
電流電路３２には、上述した直流配電用コンセント１０が複数個、本実施例では、４個の直流配電用コンセント１０が直列に接続されている。直流配電用コンセント１０は、その電線接続部１４を構成する一対のねじ無し端子の一方の電線支持部１４ａに直流電源部３１側の電源線Ｗ１を接続し、他方電線支持部１４ｂと次の直流配電用コンセント１０の一方の電線接続部１４を電源線Ｗ２によって接続し、同様にして、次の直流配電用コンセント１０を順次接続することによって、直列に４個の直流配電用コンセント１０を接続し直流配電システム３０を構成する。なお、４個の直流配電用コンセント１０は、各部屋の天井面Ｘに１個ずつ設置され、電流電路３２を構成する電源線Ｗ１、Ｗ２等は、天井裏に配線される。
【００４４】
上記に構成された直流配電システム３０において、各部屋の天井面に設置された直流配電用コンセント１０に、上述したプラグを有するＬＥＤ２１を光源とする照明器具２０を接続する。
【００４５】
まず、図１に示すように、吊り紐３３を直流配電用コンセント１０に設けられたハンガー３４に引っ掛けて、照明器具２０を天井面Ｘに吊り下げて設置する。次に、照明器具２０に設けられたプラグ２２の一対の栓刃２２ａを、直流配電用コンセント１０の、それぞれの一対の挿入孔１１ｂ１に差し込む。これによって一対の栓刃２２ａが刃受け金具の刃受け部１２ａ、１２ｂに差し込まれ、同時に棒状をなす電気絶縁体２２ｂが常時接触している導電体の一方の受け金具１３ａと他方の受け金具１３ｂとの間に差し込まれ挿入される。
【００４６】
同様にして、各部屋の直流配電用コンセント１０に対して各部屋用の照明器具２０を接続して設置する。各部屋の照明器具はＬＥＤの使用個数が異なり定格電圧が異なる器具を、そのまま接続することができる。これによって、図４（ａ）に示すように、各照明器具２０と直流配電用コンセント１０との間において、一方の電線支持部１４ａ→一方の刃受け金具の刃受け部１２ａ→照明器具のＬＥＤ２１→他方の刃受け金具の刃受け部１２ｂ→他方の電線支持部１４ｂの閉回路がそれぞれ形成される。この各閉回路が電流電路３２によって直流電源部３１に直列に接続されて各照明器具２０に直流電源が供給される状態に配線され、各照明器具２０に内蔵されたスイッチまたは壁スイッチ等の投入によって点灯され各部屋の照明を行う。
【００４７】
しかして、使用者が部屋の模様替え等で照明器具を交換したり、設置場所を変更する場合には、先ず、設置されていた照明器具２０のプラグ２２を、直流配電用コンセント１０から引き抜き、吊り紐３３を外して器具を天井面Ｘから取り外す。この際プラグ２２を引き抜くと、図４（ｂ）に示すように、一対の栓刃２２ａが刃受け金具１２から引き抜かれると同時に、導電体１３の弾性力により一方の受け金具１３ａと他方の受け金具１３ｂが接触するように復帰される。これにより、一方の電線支持部１４ａ→一方の刃受け金具の刃受け部１２ａ→導電体１３の一方の受け金具１３ａ→他方の受け金具１３ｂ→他方の刃受け金具の刃受け部１２ｂ→他方の電線支持部１４ｂの電路Ａが形成され、上述した各照明器具２０を直列に接続した電流電路３２における閉回路が１台の照明器具を取り外すことによって開放されることがなく、他の部屋の照明器具は、そのまま直流電源部３１に接続され、他の照明器具には直流電源が供給される状態を保持する。
【００４８】
因みに、コンセントに本発明の導電体１３が設置されてない通常のコンセントで構成した場合には、図６に示すように、電源側のコネクタ５から器具側のプラグ６を引き抜くと、器具側の一対のコネクタ５に照明器具３が接続されないことから、電流電路による直列の閉回路が構成されず（図６中のＢ部分）、残りの照明器具には直流電源が供給されない状態となり、他の部屋の照明器具は、交換する照明器具が接続されていない限り点灯させることができない。
【００４９】
次に、器具を交換する場合には、上述したプラグ２２を有するＬＥＤ２１を光源とした新たな照明器具２０を用意し、上述した設置手順と同様にして、照明器具２０に設けられたプラグ２２の一対の栓刃２２ａを、直流配電用コンセント１０の、それぞれの一対の挿入孔１１ｂ１に差し込む。これによって図１に示すように、一対の栓刃２２ａが刃受け金具の刃受け部１２ａ、１２ｂに差し込まれ、同時に棒状をなす電気絶縁体２２ｂが常時接触している導電体の一方の受け金具１３ａと他方の受け金具１３ｂとの間に差し込まれ挿入される。
【００５０】
これによって、図４（ａ）に示すように、各照明器具２０と直流配電用コンセント１０との間において、一方の電線支持部１４ａ→一方の刃受け金具の刃受け部１２ａ→照明器具のＬＥＤ２１→他方の刃受け金具の刃受け部１２ｂ→他方の電線支持部１４ｂの閉回路がそれぞれ形成され、器具交換前と同様に、この閉回路が電流電路３２によって直流電源部３１に直列に接続され、残りの照明器具と共に交換された照明器具にも電源が供給される状態に電流電路３２が形成される。
【００５１】
なお、プラグをコンセントに差し込む際、先に栓刃２２ａが刃受け金具の刃受け部１２ａ、１２ｂに差し込まれ、その後に電気絶縁体２２ｂが導電体の一方の受け金具１３ａと他方の受け金具１３ｂとの間に差し込まれ、一方の受け金具１３ａと他方の受け金具１３ｂとの間の接続が開放されるように構成されているので、導電体１３に流れる電流が一部照明器具２０側に分流された状態で回路を開放することができるので回路遮断に伴うアークの発生を抑えることができる。
【００５２】
以上、本実施例の直流配電用コンセント１０によれば、照明器具２０のプラグ２２に設けられた電気絶縁体２２ｂの抜き差しにより一対の刃受け金具１２間の接続が開閉されるように対向して配設された導電体１３を設けることによって、交換や設置場所を変更等するために照明器具２０を取り外しても、各照明器具２０を直列に接続した電流電路３２における閉回路が開放されることがなく、残りの他の照明器具に対して直流電源が供給されている状態を保持させることができる。これにより照明器具等の直流系機器の交換、設置場所の変更等を容易に行うことが可能な直流配電用コンセントを提供することができる。
【００５３】
また、本実施例の照明器具２０によれば、上記に構成された直流配電用コンセント１０に対して抜き差しされる電気絶縁体２２ｂを有するプラグ２２を具備することによって、照明器具２０の交換、設置場所の変更等を行うことが可能なＬＥＤ２１を光源とする照明器具を提供することができる。特に、照明器具の設置においては、上述した直流配電用コンセント１０に対して、従来と同様に、単にプラグをコンセントに差し込む通常の操作によって簡単に設置することができる。また、照明器具の交換、設置場所の変更等を行う場合、器具の取り外し操作は、プラグを引き抜く操作と同時に電気絶縁体２２ｂを導電体１３から外すことができ、また新たな照明器具を設置する操作も電源プラグを差し込む操作と同時に電気絶縁体２２ｂを導電体１３に挿入することができ、従来の操作となんら変わることなく、かつ何ら格別な操作を伴うことなく容易に行うことができる。
【００５４】
また、本実施例の直流配電システム３０によれば、電流電路３２に直列に接続される上述の複数の直流配電用コンセント１０を具備していることによって、ＬＥＤ２１の使用個数が異なり定格電圧の異なる照明器具等の直流系機器を接続することができると共に、直流系機器の交換、設置場所の変更等を容易に行うことが可能な定電流配電システムを提供することができる。特に、システムの構築は、直流電源部３１の出力側に構成される電流電路３２に対して複数の直流配電用コンセント１０を直列に接続する単純な配線工事で行うことができ、施工性に優れた直流配電システムを提供することができる。
【００５５】
また、特に、プラグ２２を直流配電用コンセントに差し込む際、先に栓刃２２ａが刃受け金具の刃受け部１２ａ、１２ｂに差し込まれ、その後に電気絶縁体２２ｂによって一方の受け金具１３ａと他方の受け金具１３ｂとの間の接続が開放されるように構成されているので、回路遮断に伴うアークの発生を抑えることができ、安全な直流配電用コンセント、照明器具および直流配電システムを提供することができる。
【００５６】
以上、本実施例において、図５に示すように、直流配電用コンセント１０を引掛シーリングボディ４０で構成し、照明器具２０のプラグ２２を引掛シーリングキャップ４１で構成し、引掛シーリングキャップ４１の回動操作によってボディ４０の一対の刃受け金具４０ａ、４０ｂ間の接続が開閉されるように構成してもよい。
【００５７】
すなわち、引掛シーリングボディ４０の表面部にスイッチ４０ｓを設ける。このスイッチは、引掛シーリングボディ４０内に設けられた一対の刃受け金具４０ａ、４０ｂ間の接続が開閉されるように対向して配設された本発明の導電体１３を構成する可動接点板４０ｓ１と固定接点板４０ｓ２を有する常閉のスイッチである。スイッチ４０ｓには可動接点板４０ｓ１を押圧して接点を開放し押圧を解除することにより接点が閉止される操作ボタン４０ｓ３が設けられている。
【００５８】
また、引掛シーリングキャップ４１には、Ｌ字形をなす一対の栓刃４１ａ、４１ｂの間の中心部（回動中心）に円筒状をなす棒状で合成樹脂製の電気絶縁体４１ｂが一体に突出させて設けられ、この電気絶縁体の頂部にカム４１ｂ１が一体に形成されている。このカム４１ｂ１は、引掛シーリングボディ４０のスイッチ４０ｓの操作ボタン４０ｓ３に対向しては配設される。なお、引掛シーリングボディ４０および引掛シーリングキャップ４１の他の構成は従来周知の構成を有している。
【００５９】
上記構成の引掛シーリングボディ４０を複数個用意し、上記と同様に各部屋の天井面Ｘに設置し、直流配電システム３０の電流電路３２にそれぞれ直列に接続して配線する。また、上記に構成された引掛シーリングキャップ４１を、上記同様に構成されたＬＥＤ２１を光源とする照明器具２０のコードＣに接続して吊り下げ形の器具を構成する。
【００６０】
そして、上記に構成された照明器具２０の引掛シーリングキャップ４１の一対の栓刃４１ａ、４１ｂを、天井面Ｘに設置された引掛シーリングボディ４０に挿入して差し込み、キャップを時計方向に回動して一対のキャップの栓刃４１ａ、４１ｂをボディの一対の刃受け金具４０ａ、４０ｂに係合させて接続する。この回動操作によってキャップの電気絶縁体４１ｂが回動し、そのカム４１ｂ１がスイッチ４０ｓの操作ボタン４０ｓ３を押圧して可動接点板４０ｓ１を押圧して接点を開放する。これにより、上述と同様に、一方の電線支持部→一方の刃受け金具４０ａ→照明器具のＬＥＤ→他方の刃受け金具４０ｂ→他方の電線支持部の閉回路が形成され、この各閉回路が電流電路３２によって直流電源部３１に直列に接続される。
【００６１】
また、照明器具２０を交換したり設置場所を変更する場合には、設置されていた照明器具のキャップ４１を、反時計方向に回動してキャップのＬ字の一対の栓刃４１ａ、４１ｂとボディ４０の一対の刃受け金具４０ａ、４０ｂの係合を解除して、キャップ４１の栓刃４１ａ、４１ｂをボディ４０から引き抜き、照明器具２０を天井面Ｘから取り外す。
【００６２】
この際、キャップ４１が反時計方向に回動されると同時に、電気絶縁体４１ｂのカム４１ｂ１が回動し、スイッチ４０ｓの操作ボタン４０ｓ３の押圧が解除されて可動接点板４０ｓ１が、その弾性力により復帰して接点が閉止される。これにより、上述と同様に、一方の電線支持部→一方の刃受け金具４０ａ→スイッチの可動接点板４０ｓ１→固定接点板４０ｓ２→他方の刃受け金具４０ｂ→他方の電線支持部の電路が形成され、複数の照明器具を直列に接続した電流電路３２における閉回路が１台の照明器具を取り外すことによって開放されることがなく、他の部屋の照明器具は、そのまま直流電源部３１に接続され、他の照明器具に直流電源が供給されている状態を保持し、上述した直流配電用コンセント１０、照明器具２０および直流配電システム３０と同様の作用効果を奏することができる。特に本変形例の構成によれば、引掛シーリングによって電気的な接続と機械的な接続が形成されるので、照明器具は吊紐を用いることなくコードＣによって直接吊り下げて設置することが可能となる。
【００６３】
なお、本変形例においても、キャップ４１をボディ４０に差し込む際に、先にキャップ４１のＬ字の栓刃４１ａが、ボディ４０の刃受け金具４０ａに係合して接続され、その後に電気絶縁体４１ｂがスイッチ４０ｓの可動接点板４０ｓ１と固定接点板４０ｓ２の接続が開放されるように構成し、回路遮断に伴うアークの発生を抑えるように構成する。
【００６４】
また、本実施例における直流配電システムの直流電源部３１は、交流分電盤３１ａと直流分電盤３１ｂを設置して構成したが、一台の分電盤内に交流分電盤３１ａと直流分電盤３１ｂを一体にして収納するようにしてもよい。また、直流電源部３１は、充電可能なバッテリーや太陽電池等の専用のバッテリーで構成してもよい。
【００６５】
なお、変形例を示す図５には、図１〜図４と同一部分に同一符号を付し、詳細な説明は省略した。以上、本発明の好適な実施形態を説明したが、本発明は上述の実施例に限定されることなく、本発明の要旨を逸脱しない範囲内において、種々の設計変更を行うことができる。
【符号の説明】
【００６６】
１０  直流配電用コンセント
１１  本体
１２  刃受け金具
１３  導電体
１４  電線接続部
２０  照明器具
２１  半導体発光素子
２２  プラグ
２２ａ  栓刃
２２ｂ  電気絶縁体
３０  直流配電システム
３１  直流電源部
３２  電流電路
【図１】
2011070945.tif 000003
【図２】
2011070945.tif 000004
【図３】
2011070945.tif 000005
【図４】
2011070945.tif 000006
【図５】
2011070945.tif 000007
【図６】
2011070945.tif 000008